(57)【要約】【課題】遅延係数、減衰係数、位相係数等についての煩雑な調整、及び、検出及び制御を行う回路が必要であった。【解決手段】入力される信号を増幅する第１の増幅工程と、前記信号を±π／３移相させるπ／３移相工程と、前記移相された信号を増幅する第２の増幅工程と、前記第１の増幅工程で増幅された信号及び前記第２の増幅工程で増幅された信号を合成する合成工程と、を含む。【選択図】図１
2009253329.tif 000002
【特許請求の範囲】
【請求項１】
入力される信号を増幅する第１の増幅工程と、
前記信号を±π／３移相させるπ／３移相工程と、
前記移相された信号を増幅する第２の増幅工程と、
前記第１の増幅工程で増幅された信号及び前記第２の増幅工程で増幅された信号を合成
する合成工程と、を含むことを特徴とする増幅方法。
【請求項２】
入力される信号を増幅する第１の増幅器と、
前記信号を±π／３移相させるπ／３移相器と、
前記第１の増幅器と並列接続されており、前記移相された信号を増幅する第２の増幅器
であって、前記第１の増幅器の出力端と当該第２の増幅器の出力端との交点で、前記第１
の増幅器により増幅された信号と、前記第２の増幅器により増幅された信号とを合成する
前記第２の増幅器と、を含むことを特徴とする増幅回路。
【請求項３】
請求項２記載の増幅回路を有することを特徴とする電子機器。
【発明の詳細な説明】
【技術分野】
【０００１】
本発明は、増幅方法、当該増幅方法を用いた増幅回路、及び、当該増幅回路を有する電
子機器に関する。
【背景技術】
【０００２】
下記の特許文献１及び特許文献２に記載された課題「線形性の向上」に関連して、従来
の増幅回路では、相互変調歪（３次歪）を低減すべく、例えば、フィードフォワード法及
びフィードバック法がある。前者のフィードフォワード法では、増幅器により増幅された
信号から相互変調歪を検出し、前記増幅された信号（主経路）と、前記相互変調歪と逆相
の関係にある、逆相の相互変調歪（副経路）とを合成することにより、前記相互変調歪を
キャンセルする。また、後者のフィードバック法では、増幅器により増幅された信号（主
経路）から相互変調歪を検出し、当該相互変調歪を前記増幅器の入力端に負帰還（副経路
）することにより、前記相互変調歪をキャンセルする。
【０００３】
【特許文献１】特公昭５８−３９４０７号公報
【特許文献２】特開平７−２２８４９号公報
【発明の開示】
【発明が解決しようとする課題】
【０００４】
しかしながら、従来の増幅回路では、上記したフィードフォワード法でもフィードバッ
ク法でも、前記主経路と前記副経路との間で、遅延係数、減衰係数、位相係数等について
の煩雑な調整が必要であるという問題があった。また、前記副経路のための検出及び制御
を行う回路が必要になり、回路規模が大きくなり、その結果、消費電力が増大するという
問題もあった。
【課題を解決するための手段】
【０００５】
本発明は、上記した課題を解決すべく、以下の適用例により実現される。
【０００６】
［適用例１］
入力される信号を増幅する第１の増幅工程と、
前記信号を±π／３移相させるπ／３移相工程と、
前記移相された信号を増幅する第２の増幅工程と、
前記第１の増幅工程で増幅された信号及び前記第２の増幅工程で増幅された信号を合成
する合成工程と、を含むことを特徴とする増幅方法。
【０００７】
［適用例２］
入力される信号を増幅する第１の増幅器と、
前記信号を±π／３移相させるπ／３移相器と、
前記第１の増幅器と並列接続されており、前記移相された信号を増幅する第２の増幅器
であって、前記第１の増幅器の出力端と当該第２の増幅器の出力端との交点で、前記第１
の増幅器により増幅された信号と、前記第２の増幅器により増幅された信号とを合成する
前記第２の増幅器と、を含むことを特徴とする増幅回路。
【０００８】
［適用例３］
適用例２の増幅回路を有することを特徴とする電子機器。
【０００９】
適用例１の増幅方法、適用例２の増幅回路、及び適用例３の電子機器によれば、第１の
増幅により前記入力された信号をそのまま増幅し、第２の増幅によりπ／３移相された信
号を増幅し、両信号を合成することにより、３次成分同士がキャンセルされることから、
従来のような遅延係数、減衰係数、位相係数等についての煩雑な調整、及び、検出及び制
御を行う回路が不要となり、それにより、回路規模の小型化及び消費電力の低減が可能と
なる。
【発明を実施するための最良の形態】
【００１０】
実施例の増幅回路について図面を参照して説明する。
【００１１】
図１は、実施例の増幅回路の構成を示す。実施例の増幅回路ＡＭＰは、例えば、携帯電
話、プリンタ、プロジェクタ等の、信号を増幅する機能を備える電子機器内に設けられて
いる。増幅回路ＡＭＰは、図１に示されるように、入力端Ｔ１に入力される信号（入力信
号）Ｓｉｎを増幅し、増幅された信号（出力信号）Ｓｏｕｔを出力端Ｔ２から出力すべく
、ＭＯＳトランジスタＭ１と、ＭＯＳトランジスタＭ２と、π／３移相器ＰＳと、を含む
。
【００１２】
ＭＯＳトランジスタＭ１、Ｍ２は、例えば、ＮＭＯＳトランジスタ、ＰＭＯＳトランジ
スタであり、相互に並列接続されている。ＭＯＳトランジスタＭ１は、ゲートが入力端Ｔ
１に接続されており、ソースが接地電位に接続されており、ドレインが出力端Ｔ２に接続
されている。ＭＯＳトランジスタＭ２は、ゲートがπ／３移相器ＰＳ（出力側）に接続さ
れており、ソースが接地電位に接続されており、ドレインが出力端Ｔ２に接続されている
（即ち、ＭＯＳトランジスタＭ１のドレインとＭＯＳトランジスタＭ２のドレインとは接
続されている。）。
【００１３】
π／３移相器ＰＳは、入力側が、入力端Ｔ１に接続されており、入力される信号Ｓｉｎ
をπ／３だけ移相して出力する。π／３移相器ＰＳは、図２に示されるように、例えば、
抵抗器ＲとキャパシタＣとからなる積分器と、アンプＡとからなる。アンプＡは、積分器
での損失分を補償すべく、（１＋（ωＲＣ）2）1/2倍の増幅率を有する。
【００１４】
入力信号Ｓｉｎをｘで表し、出力信号ＳｏｕｔのうちＭＯＳトランジスタＭ１により増
幅される信号成分をｙ１で表し、出力信号Ｓｏｕｔのうちπ／３移相器ＰＳを経てＭＯＳ
トランジスタＭ２により増幅される信号成分をｙ２で表すと、ｙ１は、（１）式により表
され、また、ｙ２は、（２）式により表される。
【００１５】
【数１】
2009253329.tif 000003
【００１６】
【数２】
2009253329.tif 000004
上記したように、ＭＯＳトランジスタＭ１のドレインとＭＯＳトランジスタＭ２のドレ
インとが接続されていることから、信号成分ｙ１と信号成分ｙ２とは、加算されるところ
、（１）式中のα3ｘ3と（２）式中のｅjπα3ｘ3とが相殺されることから、３次成分（
相互変調歪成分）が零になる。
【００１７】
図３は、実施例の増幅回路の増幅動作及び従来の増幅回路の増幅動作を示す。従来の増
幅回路では、点線の曲線ＣＶ２で示されるように、入力信号Ｓｉｎと出力信号Ｓｏｕｔと
の線形性が、入力信号Ｓｉｎが大きくなると、例えば、入力信号Ｓｉｎが６ｄＢｍを超え
ると、悪化している。
【００１８】
対照的に、実施例の増幅回路ＡＭＰでは、曲線ＣＶ１で示されるように、前記線形性が
、入力信号Ｓｉｎが大きくなっても、例えば、６ｄＢｍを超えても、良好に保たれている
。
【００１９】
実施例の増幅回路ＡＭＰでは、ＭＯＳトランジスタＭ１、Ｍ２が並列接続されており、
かつ、ＭＯＳトランジスタＭ１には、入力信号Ｓｉｎがそのまま入力されるのに対し、Ｍ
ＯＳトランジスタＭ２には、π／３移相器ＰＳによりπ／３だけ移相された信号Ｓｉｎが
入力され、両入力信号Ｓｉｎは、ＭＯＳトランジスタＭ１、Ｍ２のドレイン同士の交点で
加算されて出力信号Ｓｏｕｔとなる。これにより、（１）式と（２）式との加算の結果か
ら明らかであるように、３次成分（相互変調歪成分）が除去される。この結果、図３の曲
線ＣＶ１で示されるように、増幅回路ＡＭＰの線形性を向上させることが可能となる。換
言すれば、実施例の増幅回路ＡＭＰでは、従来必要であった、遅延係数、減衰係数、位相
係数等についての煩雑な調整、並びに、検出及び制御を行う回路が不要となり、それによ
り、回路規模を小さくすることができ、それに伴い、消費電力が減少させることが可能と
なる。
【００２０】
π／３移相器ＰＳを含む経路を経て得られる信号成分ｙ２を（１＋（ωＲＣ）2）1/2倍
だけ増幅することに換えて、π／３移相器ＰＳを含まない経路を経て得られる信号成分ｙ
１を（１＋（ωＲＣ）2）-1/2倍だけ減衰することによっても上記したと同様な効果を得
ることができる。
【図面の簡単な説明】
【００２１】
【図１】実施例の増幅回路の構成を示す図。
【図２】実施例のπ／３移相器の構成を示す図。
【図３】実施例の増幅回路の増幅動作を示す図。
【符号の説明】
【００２２】
ＡＭＰ…増幅回路、Ｍ１、Ｍ２…ＭＯＳトランジスタ、ＰＳ…π／３移相器。
【図１】
2009253329.tif 000005
【図２】
2009253329.tif 000006
【図３】
2009253329.tif 000007